(57)【特許請求の範囲】
【請求項１】
ディスク状基板と、
該ディスク状基板上に光学的に情報記録可能に形成されており、グルーブトラック及びランドトラックを有すると共にグルーブ記録用であり、検査対象である光学式情報装置に係る記録再生プレイアビリティチェック用に、少なくとも前記ランドトラックがディフェクトとされたエリアを含む記録層と
を備えたことを特徴とする検査用光ディスク。
【請求項２】
前記エリアは、前記光学式情報装置に係るエラー訂正の単位となる一訂正物理ブロック以上のサイズを有し、
前記記録再生プレイアビリティチェックは、前記光学式情報装置に係るディフェクトマネジメントについてのチェックである
ことを特徴とする請求項１に記載の検査用光ディスク。
【請求項３】
前記エリアは、前記光学式情報装置に係るエラー訂正の単位となる一訂正物理ブロック以下のサイズを有し、
前記記録再生プレイアビリティチェックは、前記エラー訂正についてのチェックである
ことを特徴とする請求項１に記載の検査用光ディスク。
【請求項４】
前記エリアは、連続的又は段階的に前記ディフェクトの程度が変化するように前記ディフェクトとされていることを特徴とする請求項１から３のいずれか一項に記載の検査用光ディスク。
【請求項５】
ディスク状基板と該ディスク状基板上に光学的に情報記録可能に形成された記録層とを備える光ディスクを、レーザ光を照射するための位置にセットする工程と、
前記光ディスクに対して、前記レーザ光を照射することによって、前記記録層の一部であるエリアを、検査対象である光学式情報装置に係る記録再生プレイアビリティチェック用に、ディフェクトとする工程と
を含み、
前記記録層は、グルーブトラック及びランドトラックを有すると共にグルーブ記録用であり、
前記ディフェクトとする工程は、前記レーザ光を前記ランドトラックに対して照射する
ことを特徴とする検査用光ディスクの製造方法。
【請求項６】
前記エリアは、前記光学式情報装置に係るエラー訂正の単位となる一訂正物理ブロック以上のサイズを有し、
前記記録再生プレイアビリティチェックは、前記光学式情報装置に係るディフェクトマネジメントについてのチェックである
ことを特徴とする請求項５に記載の検査用光ディスクの製造方法。
【請求項７】
前記エリアは、前記光学式情報装置に係るエラー訂正の単位となる一訂正物理ブロック以下のサイズを有し、
前記記録再生プレイアビリティチェックは、前記エラー訂正についてのチェックである
ことを特徴とする請求項５に記載の検査用光ディスクの製造方法。
【請求項８】
前記光ディスクは、一度だけ記録可能な光ディスクであり、
前記ディフェクトとする工程は、前記エリアに対して、前記レーザ光を二度照射する  ことを特徴とする請求項５から７のいずれか一項に記載の検査用光ディスクの製造方法。
【請求項９】
前記光ディスクは、複数度記録可能な光ディスクであり、
前記ディフェクトとする工程は、前記エリアに対して、前記レーザ光の記録パワーを、
前記光ディスクに対する通常の記録で用いられるレベルより高いレベルにしつつ、二度以上照射する
ことを特徴とする請求項５から７のいずれか一項に記載の検査用光ディスクの製造方法。
【請求項１０】
前記ディフェクトとする工程は、前記エリアに対して、前記レーザ光を、前記光ディスクに対する通常の記録で用いられる照射状態とは異なる照射状態としつつ、照射することを特徴とする請求項５から９のいずれか一項に記載の検査用光ディスクの製造方法。
【請求項１１】
前記異なる照射状態とは、前記記録層に対するフォーカス位置が、通常の記録で用いられるフォーカス位置からずらされている状態であることを特徴とする請求項１０に記載の検査用光ディスクの製造方法。
【請求項１２】
前記異なる照射状態とは、前記記録層に対するトラッキング位置が通常の記録で用いられるトラッキング位置からずらされている状態であることを特徴とする請求項１０に記載の検査用光ディスクの製造方法。
【請求項１３】
前記ディフェクトとする工程は、連続的又は段階的に前記ディフェクトの程度が変化するように、少なくとも記録パワーを変化させつつ前記レーザ光を照射することを特徴とする請求項５から１２のいずれか一項に記載の検査用光ディスクの製造方法。
【請求項１４】
前記ディフェクトとする工程は、直流記録パワーで前記レーザ光を照射することを特徴とする請求項５から１２のいずれか一項に記載の検査用光ディスクの製造方法。
【請求項１５】
前記ディフェクトとする工程は、当該レーザ光を照射する装置におけるサーボゲインを固定しつつ、前記レーザ光の記録パワーを高めることを特徴とする請求項５から１４のいずれか一項に記載の検査用光ディスクの製造方法。
【請求項１６】
前記記録層はウォブルが付けられたグルーブトラック及びランドトラックの少なくとも一方のトラックを有し、
前記ディフェクトとする工程は、前記少なくとも一方のトラックについて、一方の片側にあるウォブルに対して、他方の片側より強く前記レーザ光を照射する
ことを特徴とする請求項５から１５のいずれか一項に記載の検査用光ディスクの製造方法。
【発明の詳細な説明】
【技術分野】
【０００１】
本発明は、例えばＢＤ（Blu-ray Disc：ＢＤ）等の比較的高密度な光ディスクを再生又は記録する、若しくは記録及び再生する光学式情報装置を検査するために用いられる、検査用光ディスク及びその製造方法の技術分野に関する。
【背景技術】
【０００２】
この種の光ディスクの表面に傷若しくは塵埃、又は記録媒体における特に記録層等の劣化等（これらを総じて「ディフェクト」と呼ぶ。）が存在する場合、正しい書き込みや読み出しができなくなる虞がある。特に、ＢＤはＤＶＤに比べてレーザースポット径が小さいのでディフェクトに一層敏感である。そこでＢＤを再生或いは記録する光学式情報装置にはディフェクトマネジメントシステムが備えられる。ディフェクトマネジメントシステムによれば、従来のエラー訂正とは別に、例えばディフェクトが存在するエリアに記録すべきデータ又は記録されたデータを他のエリアに退避させることで、記録再生プレイアビリティ（ｐｌａｙ  ａｂｉｌｉｔｙ：プレイアビリティ）が向上されている。そして、この記録再生プレイアビリティが想定レベルとなっているか否かを評価するために、即ち、ディフェクトマネジメントシステムが正常に機能しているか否か等を確認するために、故意にディフェクトとされたエリアを有するディフェクトディスクが必要とされる。
【０００３】
このため従来から、ディフェクトディスクを作成するための技術として、例えばＢＤの表面をスチールウールで故意に摩擦さる技術や人工指紋を付着させる技術が提案されている（非特許文献１参照）。
【０００４】
【非特許文献１】ＯＰＴＩＣＳ（２００３）Ｎｏ．５  Ｐ１３６−１３９
【発明の開示】
【発明が解決しようとする課題】
【０００５】
しかしながら、例えば前述の非特許文献１に記載された技術には、以下のような問題が生じ得る。
【０００６】
即ち、摩擦により或いは人工指紋を付着させることによりディフェクトディスクを作成するので、信頼性及び再現性を十分に確保できず、同条件では大量生産が困難である可能性がある。更に、スチールウール及び摩擦用の装置が別途必要となる。
【０００７】
本発明は、例えば上述した問題点に鑑みなされたものであり、再現性の高いディフェクトを有する検査用光ディスク、及び比較的容易にして該検査用光ディスクを製造可能である検査用光ディスクの製造方法を提供することを課題とする。
【課題を解決するための手段】
【０００８】
本発明の請求項１に記載の検査用光ディスクは上記課題を解決するために、ディスク状基板と、該ディスク状基板上に光学的に情報記録可能に形成されており、グルーブトラック及びランドトラックを有すると共にグルーブ記録用であり、検査対象である光学式情報装置に係る記録再生プレイアビリティチェック用に、少なくとも前記ランドトラックがディフェクトとされたエリアを含む記録層とを備える。
【００１０】
本発明の請求項５に記載の検査用光ディスクの製造方法は上記課題を解決するために、ディスク状基板と該ディスク状基板上に光学的に情報記録可能に形成された記録層とを備える光ディスクを、レーザ光を照射するための位置にセットする工程と、前記光ディスクに対して、前記レーザ光を照射することによって、前記記録層の一部であるエリアを、検査対象である光学式情報装置に係る記録再生プレイアビリティチェック用に、ディフェクトとする工程とを含み、前記記録層は、グルーブトラック及びランドトラックを有すると共にグルーブ記録用であり、前記ディフェクトとする工程は、前記レーザ光を前記ランドトラックに対して照射する。
【００１１】
本発明の作用及び他の利得は次に説明する実施するための最良の形態から明らかにされよう。
【発明を実施するための最良の形態】
【００１２】
以下、発明を実施するための最良の形態としての本発明の実施形態に係る検査用光ディスク、並びに該検査用光ディスクの製造方法について順に説明する。
【００１３】
（検査用光ディスクの実施形態）
本実施形態に係る検査用光ディスクは上述の課題を解決するために、ディスク状基板と、該ディスク状基板上に光学的に情報記録可能に形成されており、レーザ光が照射されることによって、検査対象である光学式情報装置に係る記録再生プレイアビリティチェック用に、ディフェクトとされたエリアを含む記録層とを備える。
【００１４】
本実施形態によれば、例えばＢＤ等の高密度光ディスクからなる検査用光ディスクは、ディスク状基板を備える。そして、このディスク状基板上に光学的に情報記録可能に記録層（一回又は複数回記録可能な記録層）が形成されている。この記録層には、検査対象である光学式情報装置（例えば、光ディスクドライブ或いは光ディスクレコーダ）に係る記録再生プレイアビリティチェック用に、レーザ光が照射されることによってディフェクトとされたエリアが含まれる。本発明に係る「記録再生プレイアビリティ」とは、光学式情報装置の記録再生性能を表す指標であり、具体的には、ディフェクトとされたエリアが、ある程度存在しても、ディフェクト管理、エラー訂正等の何らかの手法によって、記録層に記録された情報を再生し、記録層に情報を記録することが可能か否かを示す。そして例えば、記録層に検査用光ディスクの使用条件外の条件でレーザ光が照射されると（例えば、１度だけ記録可能な光ディスクにレーザ光が複数回照射されると、或いは通常の記録用パワーよりも強いパワーで照射されると）、照射されたエリアがディフェクトとされる。この際、光学式情報装置に元々備わる照射手段によってレーザ光を照射すれば、例えば番地を指定したエリアをディフェクトとすることができ、非特許文献１に挙げられた摩擦によるディフェクトに比べて再現性の高い検査用光ディスクが比較的容易に作成されることとなる。
【００１５】
以上の結果、再現性の高いディフェクトを有する検査用光ディスクを提供することができる。この検査用光ディスクを用いれば、光学式情報装置に係る記録再生プレイアビリティチェックを再現性及び信頼性高く行うことができるので、実践上非常に便利である。
【００１６】
本実施形態に係る検査用光ディスクの一態様では、前記エリアは、前記光学式情報装置に係るエラー訂正の単位となる一訂正物理ブロック以上のサイズを有し、前記記録再生プレイアビリティチェックは、前記光学式情報装置に係るディフェクトマネジメントについてのチェックである。
【００１７】
この態様によれば、エリアは、光学式情報装置に係るエラー訂正の単位となる一訂正物理ブロック以上のサイズであるので、エラー訂正は不能であるが、正常系の光学式情報装置に係るディフェクトマネジメントによって退避が可能なサイズである。ここに「以上の」とあるが、文字通りの意味のみならず「を超える」という意味も含んでよい趣旨である。従って、このようなサイズのエリアを故意にディフェクトとすれば、ディフェクトマネジメントが正常に機能しているか否か、即ち光学式情報装置に係るディフェクトマネジメントについてのチェックが可能となる。
【００１８】
本実施形態に係る検査用光ディスクの他の態様では、前記エリアは、前記光学式情報装置に係るエラー訂正の単位となる一訂正物理ブロック以下のサイズを有し、前記記録再生プレイアビリティチェックは、前記エラー訂正についてのチェックである。
【００１９】
この態様によれば、エリアは、光学式情報装置に係るエラー訂正の単位となる一訂正物理ブロック以下のサイズであるので、正常系の光学式情報装置によってエラー訂正が可能なサイズである。ここに「以下の」とあるが、文字通りの意味のみならず「を下回る」という意味も含んでよい趣旨である。従って、このようなサイズのエリアを故意にディフェクトとすれば、エラー訂正が正常に機能しているか否か、即ちエラー訂正についてのチェックが可能となる。
【００２０】
本実施形態に係る検査用光ディスクの他の態様では、前記エリアは、連続的又は段階的に前記ディフェクトの程度が変化するように前記ディフェクトとされている。
【００２１】
この態様によれば、例えば検査用光ディスクの記録層に対して照射されるレーザ光の記録パワーを連続的又は段階的に調整することで、記録層上のディフェクトの程度（以下、「ディフェクトレベル」とも言う）も連続的又は段階的に調整される。従って、この検査用光ディスクを用いれば例えば、訂正物理ブロックのエラーレートからディフェクトレベルを訂正容易、訂正困難及び訂正不能の３段階に振り分けて、ディフェクトの発生を予測するような高度なディフェクトマネジメントを行う光学式情報装置を検査することができる。或いは例えば、ディフェクト管理、エラー訂正等についてのディフェクトに対する対応能力の高低や装置間の個体差を、連続的又は段階的に定量評価することが可能となる。
【００２２】
本実施形態に係る他の検査用光ディスクは上述の課題を解決するために、ディスク状基板と、該ディスク状基板上に光学的に情報記録可能に形成されており、グルーブトラック及びランドトラックを有すると共にグルーブ記録用であり、検査対象である光学式情報装置に係る記録再生プレイアビリティチェック用に、少なくとも前記ランドトラックがディフェクトとされたエリアを含む記録層とを備える。
【００２３】
本実施形態によれば、検査用光ディスクは、ディスク状基板と、該ディスク状基板上に記録層（一回又は複数回記録可能な記録層）とを備える。そして、この記録層がグルーブトラック及びランドトラックを有し、グルーブ記録用となっている。即ち、その通常の記録時や通常の再生時には、グルーブトラックにレーザ光が照射され、情報が記録或いは再生されることになる。しかるに本実施形態では特に、記録再生プレイアビリティチェック用のエリアにおいて、典型的にはグルーブトラックではなくランドトラックに対して、レーザ光が照射されることによって、ディフェクトとされる。具体的に例えば、光学式情報装置がグルーブトラックの所定エリアをディフェクトとした後、トラッキングの極性を反転してランドトラックを再生し、メインビーム或いはサブビームでアドレスサーチを行い、先のグルーブトラックに係る所定エリアと隣接するランドトラックもディフェクトとする。すると、例えば複数のグルーブトラックに渡って連続するような、光ディスクの径方向に広がるエリアをディフェクトとすることができる。この際、実際の指紋等が１グルーブトラック内に限られることは稀であることに鑑みれば、一層実践的な検査用光ディスクが比較的容易に且つ再現性高い検査用光ディスクであると言え、検査対象である光学式情報装置に係る記録再生プレイアビリティチェックが好適に行われるのである。或いは、係る記録再生プレイアビリティチェック用のエリアにおいて、グルーブトラックがディフェクトとされることなく、ランドトラックのみが、ディフェクトとされていてもよい。グルーブ記録用の光ディスクであっても、ランドトラックをディフェクトとすれば、トラッキングやウォブリング等に係る記録動作や再生動作に支障をきたすことになるので、結局、グルーブトラック自体をディフェクトとしなくても、トラック全体としてはディフェクトとなるのである。更に、レーザ光の照射以外の何らかの物理的、機械的又は化学的な手段が、例えばディスク状基板の形成時や記録層の形成時に、ランドトラックに対して施されることによって、係るランドトラックがディフェクトとされていてもよい。
【００２４】
（検査用光ディスクの製造方法の実施形態）
本実施形態の検査用光ディスクの製造方法は上記課題を解決するために、ディスク状基板と該ディスク状基板上に光学的に情報記録可能に形成された記録層とを備える光ディスクを、レーザ光を照射するための位置にセットする工程と、前記光ディスクに対して、前記レーザ光を照射することによって、前記記録層の一部であるエリアを、検査対象である光学式情報装置に係る記録再生プレイアビリティチェック用に、ディフェクトとする工程とを備える。
【００２５】
本実施形態の検査用光ディスクの製造方法によれば、上述した本実施形態の検査用光ディスクの場合と同様の検査用光ディスクを製造することが可能となる。尚、本実施形態の検査用光ディスクの製造方法においても、上述した本実施形態の検査用光ディスクにおける各種態様と同様の各種態様の検査用光ディスクを比較的容易にして製造可能である。
【００２６】
本実施形態に係る検査用光ディスクの製造方法の一態様では、前記エリアは、前記光学式情報装置に係るエラー訂正の単位となる一訂正物理ブロック以上のサイズを有し、前記記録再生プレイアビリティチェックは、前記光学式情報装置に係るディフェクトマネジメントについてのチェックである。
【００２７】
この態様によれば、上述した本実施形態の検査用光ディスクにおける態様と同様に、光学式情報装置に係るディフェクトマネジメントについてのチェックが可能な検査用光ディスクを比較的容易にして製造可能である。
【００２８】
本実施形態に係る検査用光ディスクの製造方法の他の態様では、前記エリアは、前記光学式情報装置に係るエラー訂正の単位となる一訂正物理ブロック以下のサイズを有し、前記記録再生プレイアビリティチェックは、前記エラー訂正についてのチェックである。
【００２９】
この態様によれば、上述した本実施形態の検査用光ディスクにおける態様と同様に、光学式情報装置に係るエラー訂正についてのチェックが可能な検査用光ディスクを比較的容易にして製造可能である。
【００３０】
本実施形態に係る検査用光ディスクの製造方法の他の態様では、前記光ディスクは、一度だけ記録可能な光ディスクであり、前記ディフェクトとする工程は、前記エリアに対して、前記レーザ光を二度照射する。
【００３１】
この態様によれば、ディフェクトとする工程において、一度だけ記録可能な光ディスク上のエリアに対して、レーザ光が二度照射される。その結果、レーザ光が照射されたエリアを好適にディフェクトとすることができる。
【００３２】
本実施形態に係る検査用光ディスクの製造方法の他の態様では、前記光ディスクは、複数度記録可能な光ディスクであり、前記ディフェクトとする工程は、前記エリアに対して、前記レーザ光の記録パワーを、前記光ディスクに対する通常の記録で用いられるレベルより高いレベルにしつつ、二度以上照射する。
【００３３】
この態様によれば、ディフェクトとする工程において、複数度記録可能な光ディスク上のエリアに対して、記録パワーが光ディスクに対する通常の記録で用いられるレベルより高いレベルにされたまま、レーザ光が二度以上照射される。尚、記録パワーを通常の記録で用いられるレベルと同等のまま、光ディスクの耐久回数を超えてレーザ光を照射してもよい。或いは、１度の照射で上記エリアをディフェクトとするような高い記録パワーで、レーザ光を１度照射するようにしてもよい。こうして、いずれにせよ結果的に、レーザ光が照射されたエリアを信頼性及び再現性高くディフェクトとすることができる。
【００３４】
本実施形態に係る検査用光ディスクの製造方法の他の態様では、ディフェクトとする工程は、前記エリアに対して、前記レーザ光を、前記光ディスクに対する通常の記録で用いられる照射状態とは異なる照射状態としつつ、照射する。
【００３５】
この態様によれば、ディフェクトとする工程において、エリアに対して、レーザ光が、光ディスクに対する通常の記録で用いられる照射状態とは異なる照射状態とされたまま、照射される。例えば、後述するように、フォーカス位置或いはトラッキング位置が通常の記録で用いられる位置からずらされたまま、エリアに対してレーザ光が照射される。このようにして、レーザ光が照射されたエリアを信頼性及び再現性高くディフェクトとすることができる。
【００３６】
この異なる照射状態に係る態様では、前記異なる照射状態とは、前記記録層に対するフォーカス位置が、通常の記録で用いられるフォーカス位置からずらされている状態としてもよい。
【００３７】
このように製造によれば、記録層に対するフォーカス位置が、通常の記録で用いられるフォーカス位置からずらされたまま、エリアに対してレーザ光が照射される。このようにして、レーザ光が照射されたエリアを信頼性及び再現性高くディフェクトとすることができる。
【００３８】
或いはこの異なる照射状態に係る態様では、前記異なる照射状態とは、前記記録層に対するトラッキング位置が通常の記録で用いられるトラッキング位置からずらされている状態としてもよい。
【００３９】
このように製造すれば、記録層に対するトラッキング位置が、例えばトラッキングオフセットが加えられることによって通常の記録で用いられるトラッキング位置からずらされたまま、エリアに対してレーザ光が照射される。このようにして、レーザ光が照射されたエリアを信頼性及び再現性高くディフェクトとすることができる。例えば、片側のウォブルのディフェクトの程度を相対的に悪くできる。
【００４０】
尚、異なる照射状態とするには、上述のフォーカス位置或いはトラッキング位置のみならず、記録ストラテジ、ディスクチルト或いはビームスポット径を通常の記録で用いられる状態からずらしてもよい。
【００４１】
本実施形態に係る検査用光ディスクの製造方法の他の態様では、前記ディフェクトとする工程は、連続的又は段階的に前記ディフェクトの程度が変化するように、少なくとも記録パワーを変化させつつ前記レーザ光を照射する。
【００４２】
この態様によれば、ディフェクトとする工程において、連続的又は段階的にディフェクトの程度が変化するように、少なくとも記録パワーを変化させつつ、エリアに対してレーザ光が照射される。例えば、記録パワーを連続的に上げると、ディフェクトの程度（例えばエラーレート）が連続的に下がる。このようにして、任意の特性の検査用光ディスクを信頼性及び再現性高く製造することができる。
【００４３】
或いは本実施形態に係る検査用光ディスクの製造方法の他の態様では、前記ディフェクトとする工程は、直流記録パワーで前記レーザ光を照射する。
【００４４】
この態様によれば、ディフェクトとする工程において、エリアに対して直流記録パワーでレーザ光が照射される。従って、信頼性及び再現性の高い検査用光ディスクを、容易にして製造可能である。
【００４５】
本実施形態に係る検査用光ディスクの製造方法の他の態様では、前記ディフェクトとする工程は、当該レーザ光を照射する装置におけるサーボゲインを固定しつつ、前記レーザ光の記録パワーを高める。
【００４６】
この態様によれば、ディフェクトとする工程において、レーザ光を照射する装置におけるサーボゲインが固定されるとともに、レーザ光の記録パワーが高められる。換言すれば、サーボがオープンにされ、記録パワーが通常でない記録パワーに固定された状態で、レーザ光が照射される。このようにすれば、レーザ光を照射する装置が正規のトラックから故意に外れた場合でも、トラッキングサーボによって不必要な自動調整が行われないので、製造される検査用光ディスクの品質が更に向上する。このように信頼性及び再現性の高い検査用光ディスクを、容易にして製造可能である。
【００４７】
本実施形態に係る検査用光ディスクの製造方法の他の態様では、前記記録層は、グルーブトラック及びランドトラックを有すると共にグルーブ記録用であり、前記ディフェクトとする工程は、前記レーザ光を前記ランドトラックに対して照射する。
【００４８】
この態様によれば、複数のグルーブトラックに渡って連続するような、より大規模なエリアがディフェクトとされた検査用光ディスクを製造でき、例えば、ランドトラックの機能を無効化した際のクロストークの影響を検査することも可能となる。具体的には、目的のグルーブトラックに記録した後、トラッキングの極性を反転してランドトラックを再生し、サブビーム（可能ならメインビーム）でアドレスをサーチし、グルーブと同じ（つまり隣接する）箇所のランドトラックにレーザ光を照射するとよい。或いは、係る記録再生プレイアビリティチェック用のエリアにおいて、グルーブトラックをディフェクトとすることなく、ランドトラックのみを、ディフェクトとしてもよい。更に、レーザ光の照射以外の何らかの物理的、機械的又は化学的な手段をランドトラックに対して施すことで、係るランドトラックをディフェクトとしてもよい。
【００４９】
本実施形態に係る検査用光ディスクの製造方法の他の態様では、前記記録層はウォブルが付けられたグルーブトラック及びランドトラックの少なくとも一方のトラックを有し、前記ディフェクトとする工程は、前記少なくとも一方のトラックについて、一方の片側にあるウォブルに対して、他方の片側より強く前記レーザ光を照射してもよい。
【００５０】
この態様によれば、ディフェクトとする工程において、例えばトラッキングオフセットが与えられて、記録層が有するグルーブトラック或いはランドトラックの少なくとも一方の片側にあるウォブルに対して、他方の片側より強くレーザ光が照射される。このようにして、片側のウォブルの特性を相対的に劣化させた検査用光ディスク、即ち、特定のエリアにおいてディフェクトを有する検査用光ディスクを比較的容易にして製造できる。
【００５１】
以上詳細に説明したように、本実施形態の検査用光ディスクによれば、ディスク状基板及び記録層を備え、本実施形態の検査用光ディスクの製造方法によれば、セットする工程及びディフェクトとする工程を備えるので、比較的信頼性及び再現性の高い検査用光ディスクを提供することが可能となる。
【００５２】
本実施形態の作用及び他の利得は次に説明する実施例から明らかにされよう。
【実施例】
【００５３】
以下、本発明の実施例を図面に基いて説明する。
【００５４】
（１）第１実施例
第１実施例に係る、検査用光ディスクをレーザ光の照射によって製造可能であり、更に、製造された検査用光ディスクを用いてのディフェクト管理能力等の検査の対象ともなる光学式情報装置の構成及び動作処理を図１から図６を参照して説明する。
【００５５】
（１−１）構成
先ず、本実施例に係る検査用光ディスクが設置された光学式情報装置の構成について、図１を参照して説明する。ここに、図１は、検査用光ディスクを製造可能であって、更に、ディフェクトマネジメント及びエラー訂正が可能な光学式情報装置のブロック図及び光ディスクの拡大図である。
【００５６】
図１に示すように、本発明に係る「検査用光ディスク」の一例としての光ディスク１００が設置された光学式情報装置３００は、スピンドルモータ３５１と、光ピックアップ３５２と、ＲＦアンプ３５３と、サーボ回路３５４と、変調復調部３５５と、バッファ３５６と、インターフェース３５７と、レーザ光駆動部３５８と、ディフェクト検出部３５９と、ディフェクト管理情報作成部３６０と、ＣＰＵ３６１と、システムコントロール４００と、を備えており、例えば光ディスク１００を、以下に示すようにディフェクトを設けることで、検査用光ディスク１００を製造可能に構成されている。
【００５７】
更に、ここで製造された検査用光ディスク１００を用いれば、光学式情報装置３００やこれと同様又は類似のディフェクト管理等を行う各種プレーヤやレコーダに係る記録再生プレイアビリティチェックを行うことも可能である。
【００５８】
光ディスク１００は、例えばＢＤ或いはＤＶＤであり、拡大された断面図に示すように、基板１００１と、記録層１００２と、保護層１００３とを積層して成る。基板１００１は、本発明に係る「ディスク状基板」の一例であり、例えばポリカーボネイトを含んで成る直径１２cmのディスクである。記録層１００２は、本発明に係る「記録層」の一例であり、例えば相変化記録材料から成ることで基板１００１上に光学的に情報記録可能に形成されており、光ピックアップ３５２からレーザ光が照射されることによって、検査対象である光学式情報装置３００に係る記録再生プレイアビリティチェック用に、ディフェクトとされる。このエリアがディフェクトとされたエリア１１０である。保護層１００３は、記録層１００２を保護すると共に、読み取り・書き込み用のレーザ光が通過できるよう、光学的に安定な構成となっている。尚、本実施例は、レーザ光を用いて光ディスク１００にディフェクトとされたエリア１１０が作成されることが主題であり、検査用光ディスクの積層状態或いは各層の材料を特に規定する趣旨ではない。即ち、ＢＤ，ＤＶＤ等の光ディスクの各種態様に応じて積層状態或いは各層の材料等は適宜変更されてよく、例えば上記層に加えて別の層が挿入されてもよいし、或いは両面記録用、２層記録用の構成でもよい。更に、様々なディフェクト条件を実現するために、記録層に加えて又は代えて、他の層をディフェクトとしてもよい。
【００５９】
スピンドルモータ３５１は、光ディスク１００を回転させるモータである。
【００６０】
光ピックアップ３５２は、光ディスク１００の記録層１００２に対してレーザ光を照射することによって記録データ等を記録層１００２上に記録すると共に、レーザ光の反射光を受け取ることによって記録層１００２上に記録された記録データ等を読み取る装置である。更に、レーザ光の反射光に対応するＲＦ信号を出力する。更に、本発明の「ディフェクトとする工程」の一例として、光ピックアップ３５２は、記録層１００２上のある特定のエリアに対して、レーザ光が、光ディスク１００に対する通常の記録で用いられる照射状態とは異なる照射状態として照射することで、照射されたエリアをディフェクトとする。例えば、記録パワーを通常の記録で用いられるレベルより高いレベルにしつつレーザ光を照射することで、照射されたエリアをディフェクトとする。
【００６１】
ＲＦアンプ３５３は、光ピックアップ３５２から出力されたＲＦ信号を増幅して、そのＲＦ信号を変調復調部３５５に出力する。更に、ＲＦアンプ３５３は、ＲＦ信号から、ウォブル周波数信号ＷＦ、トラックエラー信号ＴＥ及びフォーカスエラー信号ＦＥを作り出し、これらを出力する。
【００６２】
サーボ回路３５４は、トラックエラー信号ＴＥ、フォーカスエラー信号ＦＥその他のサーボ制御信号に基づいて光ピックアップ３５２及びスピンドルモータ３５１の駆動を制御するサーボ制御回路である。そして、スピンドルモータ３５１の回転により、本発明の「セットする工程」の一例として、光ディスク１００がレーザ光を照射するための位置にセットされる。更に、ディフェクトとする工程において、記録層１００２上のエリアに対して、レーザ光が、光ディスク１００に対する通常の記録で用いられる照射状態とは異なる照射状態となるように、記録層１００２に対するレーザ光のフォーカス位置或いはトラッキング位置を調整可能である。又更に、光ディスク１００をディフェクトとする際にはサーボ回路３５４はサーボゲインを固定するようにしてもよい。
【００６３】
変調復調部３５５は、読取時において記録データに対してエラー訂正を行う機能と、記録時において記録データにエラー訂正符号を付加してこれを変調する機能とを備えた回路である。具体的には、変調復調部３５５は、読取時においては、ＲＦアンプ３５３から出力されるＲＦ信号を復調し、これに対してエラー訂正を行った後、これをバッファ３５６に出力する。更に、変調復調部３５５は、復調されたＲＦ信号に対してエラー訂正を行った結果、エラー訂正が不能であるか、又はエラー訂正された符号の数がある一定の基準値を超えたときには、その旨を示すエラー信号を生成し、これをディフェクト検出部３５９に出力する。また、変調復調部３５５は、記録時においては、バッファ３５６から出力される記録データにエラー訂正符号を付加した後、これを、光ディスク１００の光学的特性等に適合する符号となるように変調し、変調された記録データをレーザ光駆動部３５８に出力する。
【００６４】
バッファ３５６は、記録データを一時的に蓄える記憶回路である。
【００６５】
インターフェース３５７は、光学的情報装置３００とシステムコントロール４００との間の記録データ等の入出力制御ないし通信制御を行う回路である。具体的には、インターフェース３５７は、再生時においては、システムコントロール４００からの要求命令に応じて、バッファ３５６から出力される記録データ（即ち光ディスク１００から読み取られた記録データ）をシステムコントロール４００へ出力する。また、インターフェース３５７は、記録時においては、システムコントロール４００から光学的情報装置３００に入力される記録データを受け取り、これをバッファ３５６に出力する。更に、インターフェース３５７は、システムコントロール４００からの要求命令に応じて、ディフェクト管理情報作成部３６０に保持されているディフェクトリストの全部又は一部をシステムコントロール４００に出力する。
【００６６】
レーザ光駆動部３５８は、光ディスク１００のデータ記録、消去及び再生に応じたレーザ光を適宜照射する。通常の記録時において、変調復調部３５５から出力された記録データに対応するレーザ光駆動信号を生成し、これを光ピックアップ３５２に出力する。光ピックアップ３５２は、レーザ光駆動信号に基づいてレーザ光を変調し、光ディスク１００の記録層１００２に照射する。これにより、記録データ等が記録層１００２上に記録される。ディフェクトとする工程でも基本的には同様にして記録層１００２上のある特定のエリアに対して、ディフェクトとするためのレーザ光が照射される。この際、ノイズに強い安定したレーザ光出力を得るために、直流記録パワーでレーザ光を照射してもよい。ここで、図２を用いてレーザ光駆動部３５８をより詳しく説明する。ここに、図２は、レーザ光駆動部３５８及びその周辺装置の詳細なブロック図である。
【００６７】
図２において、レーザ光駆動部３５８及びその周辺装置には、例えば、以下のような部品が含まれ、光ディスク１００のデータ記録、消去及び再生に応じたレーザ光を適宜照射する。ＣＰＵ３６１は、光学式情報装置３００とシステムコントロール４００との間のデータのやり取りを制御する。例えば記録するためのデータをインターフェース３５７に伝達するようにし、そのデータはインターフェース３５７を介してＤ／Ａ変換された後、ドライバＤＶから記録電流、消去電流及びバイアス電流として出力される。ストラテジ生成回路ＳＴは、光ディスク１００に最適なピットを記録するために記録データを適切な状態に調整する回路であり、記録ストラテジで記録条件を変える際に必要とされる。具体的には、記録の際には記録データに基づくライトパルスが生成され、消去の際にはイレーズパルスが生成される。レーザ光駆動部３５８に内蔵されることで、記録特性への影響が極力抑えられる。レーザダイオードＬＤは、光ピックアップ３５２に含まれ、記録、消去及び再生に応じてライトパルス等のパルス及びドライバＤＶからの出力に基いてレーザ光を照射する。フロントモニタＰＤは、例えばフォトダイオードであり、レーザダイオードＬＤのレーザ光による発光を受光可能である。フロントモニタＰＤの一方には逆バイアスがかかっており、受光した場合には他方へと再生電流が流れるように構成される。この際、ＡＰＣ（Auto Power Control）によって、レーザダイオードＬＤの出力パワー値変動が補正されて一定になるよう帰還がかけられてもよい。
【００６８】
以上、図２に示したように、レーザ光駆動部３５８及びその周辺装置によって、光ディスク１００のデータ記録、消去及び再生に応じたレーザ光を適宜照射されるのである。
【００６９】
光学式情報装置３００に係るディフェクトマネジメントは、以下に示すディフェクト検出部３５９、及びディフェクト管理情報作成部３６０を中心に行われる。
【００７０】
ディフェクト検出部３５９は、光ディスク１００のディフェクトを検出する回路である。そして、ディフェクト検出部３５９は、ディフェクトの存否を示すディフェクト検出信号を生成し、これを出力する。ディフェクト検出部３５９は、情報の読取時（ベリファイ時又は再生時）における記録データのエラー訂正の結果に基づいて、ディフェクト検出を行う。上述したように、変調復調部３５５は、復調されたＲＦ信号に対してエラー訂正を行った結果、エラー訂正が不能であるか、又はエラー訂正された符号の数がある一定の基準値を超えたときには、その旨を実質的に示すエラー信号を生成し、これをディフェクト検出部３５９に出力する。ディフェクト検出部３５９は、このエラー信号を受け取ったときに、ディフェクトが存在していることを示すディフェクト検出信号を出力する。
【００７１】
ディフェクト管理情報作成部３６０は、ディフェクト検出部３５９から出力されたディフェクト検出信号に基づいて、ディフェクト管理情報を作成し、又は更新する回路である。ディフェクト管理情報は、例えばディフェクト管理情報作成部３６０内に設けられた記憶回路に書換可能な状態で記憶される。更に、ディフェクト管理情報作成部３６０は、システムコントロール４００からの要求命令に応じて、ディフェクト管理情報をインタ−フェース３５７を介してシステムコントロール４００に出力する。
【００７２】
ＣＰＵ３６１は、光学式情報装置３００の全体的な制御及び上述した光学式情報装置３００内の各要素間の情報のやり取りを制御する。更に、ＣＰＵ３６１は、記録データ及びディフェクト管理情報の記録動作及び読取動作を制御する。更に、ＣＰＵ３６１は、システムコントロール４００から送られる制御命令ないし要求命令に応じて、光学式情報装置３００とシステムコントロール４００との間のデータのやり取りを制御する。
【００７３】
システムコントロール４００は、光学式情報装置３００によって光ディスク１００から読み取られた記録データに対して再生処理を行うと共に、光ディスク１００に記録する目的で外部から供給された記録データを受け取り、これを光学式情報装置３００に転送する装置である。
【００７４】
以上、図１を用いて示したように、本実施例によれば、再現性の高いディフェクトを有する検査用光ディスクを製造できる。
【００７５】
次に、図３及び図４を用いて、光ディスク１００に説明を加える。ここに、図３は、ディフェクトとされたエリアを含む検査用光ディスク１００の平面図である。
【００７６】
図３において、ディフェクトとされたエリア１１０は、光ディスク１００上に１つ或いは複数点在してもよい。大きさも、レーザ光の照射条件（記録パワー等）も夫々異なってもよい。これらは、どのような記録再生プレイアビリティチェックを行うか次第で決まる事項である。
【００７７】
リードインエリア１０１は、記録層の最内周側に存在し、例えばディスク情報の他、マニュファクチャラー情報（製造メーカ情報）及びライトストラテジ情報（この光ディスク１００に対して特別にチューニングされたライトストラテジ情報等）が書き込まれている。
【００７８】
その他、記録層上には外周に向けて、ユーザデータエリア及びリードアウトエリアが設けられている。ユーザデータエリアには、例えば記録管理データ、シリアルナンバー、記録パワー、ＯＰＣパワー（記録開始前にＯＰＣエリアで探した記録パワーの最適値）、記録日時及び記録時間等が書き込まれる。リードアウトエリアには、例えば１５セクタ分が００ｈデータで埋められている。
【００７９】
以上、図３に示したように、光学式情報装置３００によって光ディスク１００上にディフェクトとされたエリア１１０が形成され、その後、各種再生装置、各種記録装置、各種記録再生装置（即ち、図１に示した光学式情報装置３００と同一又は類似のディフェクト管理等を行う装置）等に関して、その製品開発時、製造検査時、出荷時、メンテナンス時等の各段階におけるディフェクト管理能力やエラー訂正能力に係る検査に、エリア１１０が用いられる。
【００８０】
続いて、図４を用いて、図３で示したディフェクトとされたエリア１１０のサイズを、用途別に変えることについて説明を加える。ここに、図４は、一訂正物理ブロック以上及び一訂正物理ブロック以下をディフェクトとした検査用光ディスクの概念的平面図である。
【００８１】
図４において、ＥＣＣブロック１１１は、本発明に係る「訂正物理ブロック」の一例であり、一ＥＣＣブロック１１１が光学式情報装置３００のエラー訂正の単位となる。例えば、ＢＤの読取時には、LDC  ECCおよびBISという２種類の誤り訂正方式を採用し、64kBという比較的大きな訂正符号ブロックとされ、読み取り時の信号再現性を高められている。
【００８２】
ここで、ディフェクトとされたエリア１１０Ａが一ＥＣＣブロック１１１以上のサイズを有する場合、光学式情報装置３００に係るディフェクトマネジメントが正常に機能しているかをチェックすることになる。係る状況下では、もはやエラー訂正ができないために、ディフェクトマネジメントが正常に機能していれば、ディフェクト（欠陥）判定された番地がスペアエリアに退避（置換）させられている筈だからである。
【００８３】
他方、ディフェクトとされたエリア１１０ＢがＥＣＣブロック１１１以下のサイズを有する場合、光学式情報装置３００に係るエラー訂正が正常に機能しているかをチェックすることになる。係る状況下では、例えば変調復調部３５５によってエラー訂正がなされている筈だからである。
【００８４】
以上、図４に示したように、ディフェクトとされたエリア１１０のサイズを変えることで、記録再生プレイアビリティチェックの対象を適宜変更することもできる。
【００８５】
続いて、図５を用いて、グルーブトラック及びランドトラックを有する光ディスク１００の記録層１００２に対するレーザ光の照射の仕方について説明を加える。ここに、図５は、グルーブトラック及びランドトラックを有する記録層のエリアがディフェクトとされた状態を示す平面図である。
【００８６】
図５において、光ディスク１００の記録層１００２は、グルーブ１００５及びランド１００４を有す。記録層１００２は、例えば、グルーブ・ウォブリング方式を採用しており、グルーブ１００５に信号をピット１００６として記録し、アドレッシングはグルーブのウォブルで検出される。本実施形態に係る光学式情報装置３００によれば、光ディスク１００は、例えば以下に示すエリア１１０Ｃ及びエリア１１０Ｄの２通りの状態でディフェクトとされる。
【００８７】
エリア１１０Ｃは、記録層１００２のランド１００４に対してレーザ光が照射されたエリアを示す。このように照射されると、例えば、ランドトラックの機能を無効化した際の隣接するグルーブ１００５間のクロストークの影響を検査することも可能となる。
【００８８】
エリア１１０Ｄは、一方の片側にあるウォブルに対して、他方の片側より強くレーザ光が照射されたエリアを示す。このように照射されると、例えば、ウォブリングがないことの影響を検査することも可能となる。
【００８９】
以上、図１から図５に示すように、本実施例に係る検査用光ディスク１００は、再現性の高いディフェクトを有することが可能となるのである。加えて、光学式情報装置３００は、比較的容易にして検査用光ディスク１００を製造可能である。
【００９０】
（１−２）動作処理
次に、以上のように構成された本実施例に係る、検査用光ディスクを製造するための光学式情報装置の動作について、図１から図５に加えて、図６を用いて説明する。ここに、図６は、一度だけ記録可能な光ディスクにレーザ光を少なくとも二度照射する処理を示すフローチャートである。
【００９１】
図６において、先ず、システムコントロール４００からディフェクトとするエリアに書き込むための命令であるＷｒｉｔｅ（アドレス,ブロック）コマンドがきているか否かをＣＰＵ３６１が判定する（ステップＳ０１０）。ここで、未だ、このコマンドが送られてきていない場合（ステップＳ０１０：ＮＯ）、そのまま待機する。
【００９２】
他方、このコマンドが送られてきた場合（ステップＳ０１０：ＹＥＳ）、引き続きシステムコントロール４００から転送されてくるデータ（ブロック数）を、インターフェース３５７を介してバッファ３５６に蓄える（ステップＳ０２０）。そして、蓄えたデータを、変調復調部３５５がエンコードする（ステップＳ０３０）。
【００９３】
光ディスク１００を、レーザ光を照射する位置にセットする工程として、図５で示したようなウォブリングを使い、システムコントロール４００のＷｒｉｔｅコマンドによって指定されたアドレスをサーチする（ステップＳ０４０）。
【００９４】
サーチされ終わると、ディフェクトとする工程として、変調復調部３５５によってエンコードされたデータを、サーチしたアドレスから書き込む（ステップＳ０５０）。具体的には、エンコードされたデータに従って、レーザ光駆動部３５８が光ピックアップ３５２を駆動して、光ディスク１００に対してレーザ光が照射される。この時に光ディスク１００にデータが１度書き込まれれたエリア（例えば１クラスタ以内）の再生波形をオシロスコープで観察すると、図７に示すようなＲＦ信号であることが確認される。ここに、図７はディフェクトとされたエリアの確認のための出力波形図である。
【００９５】
図７において、横軸は時間軸を、縦軸は信号のレベルを夫々示す。そして、図７に表示された２つのモニタ図のうち、上側のモニタ図は未記録の光ディスク１００が部分的にディフェクトとされたエリア１１０が再生された信号を示し、下側のモニタ図は、そのディフェクトとされたエリア１１０が再生された信号をレンジを拡大して表示したものである。ディフェクトとされたエリア１１０は未記録のエリアを再生した場合に比べて戻り光が少ないので出力も低い。そして、下側のモニタ図はＲＦ信号に特徴的な波形であり、ＲＦ信号と確認される。ここで例えば、光ディスク１００が一度だけ記録可能な場合、この光ディスク１００に通常記録を行うと、ディフェクトとされたエリア１１０は２度書きされることとなり、ディフェクトマネジメントが良好に機能することによって、別の領域に置換先のエリアが設定されることになる。即ち、この光ディスク１００を用いることによって、光学式情報装置３００のディフェクトマネジメントの良否をチェックできることを意味する。
【００９６】
そして、転送されてきたデータを全て書き込み終えたか否か、即ち、書き込むべきデータは無くなったか否かが判定される（ステップＳ０６０）。ここで、書き込み終えていない場合（ステップＳ０６０：ＮＯ）、書き込みを続行する。
【００９７】
他方、書き込み終えた場合（ステップＳ０６０：ＹＥＳ）、続いて、希望回数重ね書きしたか否かが判定される（ステップＳ０７０）。ここで、「希望回数」とは、光ディスク１００の記録層１００２をディフェクトするに足りるレーザ光の照射回数であり、例えば光ディスク１００が一度だけ記録可能であれば、希望回数は少なくとも二回とする。この希望回数は、光ディスク１００の性質や希望するディフェクトの程度等を勘案して定めればよい。ここで、希望回数に達していない場合（ステップＳ０７０：ＮＯ）、引き続き重ね書きを行う。
【００９８】
他方、希望回数に達した場合（ステップＳ０７０：ＹＥＳ）、記録終了、即ち検査用光ディスク１００の完成であり、ＳＴＡＲＴに戻る。
【００９９】
以上のように、図６に示した処理を行うことで、所望のエリアに所望の種類のディフェクトを有する検査用光ディスク１００が比較的容易に製造される。
【０１００】
（２）第２実施例
次に、第２実施例に係る検査用光ディスク１００が設置された光学式情報装置３００の構成及び動作処理を図１から図６に加えて又は代えて図８から図１０を参照して説明する。ここに第２実施例は、照射されるレーザ光の記録パワーに対するディフェクトの程度の変化に着目した実施例である。本実施例の説明に先立ち、先ずこの点に関して図８及び図９を用いて説明する。ここに、図８は、記録パワーとエラーレートとの関係を示す特性図である。
【０１０１】
図８において、横軸は記録パワーを、縦軸はエラーレートを夫々示す。この図より、例えば、レーザ光駆動部３５８によってレーザ光の記録パワーを４．００ｍＷから徐々に上げていくと、それに伴いエラーレートが下降する。そして、あるパワー閾値（例えば、記録パワー６．７６ｍＷ。このパワー閾値は光ディスク１００の物性等によって変動しうる値である）を境にして、今度はエラーレートが上昇に転じる。この上昇度合いは、先の下降度合いに比べると緩やかである。そこで、例えば上昇に転じる前の範囲（図８では、記録パワーを４．００ｍＷから６．７６ｍＷの範囲）で記録パワーを連続的又は段階的に変化させつつレーザ光を光ディスク１００へ照射することで、エラーレート、つまりディフェクトの程度を連続的又は段階的に変化させることができると考えられる。尚、記録パワーは、上昇させすぎると発熱により光ピックアップ３５２の故障原因となりかねないので、例えば、８ｍＷを上限とするとよい。
【０１０２】
続いて、図９を用いて重ね書き回数とエラーレートとの関係を説明する。ここに、図９は、重ね書き回数とエラーレートとの関係を示す特性図である。
【０１０３】
図９において、横軸は重ね書き回数を、縦軸はエラーレートを夫々示す。そして、図９は、記録パワーを変えるのみならず、更に同一エリアにレーザ光を重ね書きする場合の、エラーレートの変化を示しており、重ね書きをすればする程、エラーレートが上昇することが示されている。
【０１０４】
以上、図８及び図９によると、重ね書きに加えて又は代えてレーザ光の記録パワーを変えることで、エラーレートを調整でき、もって、検査用光ディスク１００を比較的容易に製造できる。以下にその具体的な構成及び動作について説明する。
【０１０５】
（２−１）構成
ここで、本実施例に係る検査用光ディスクが設置された光学式情報装置の構成は、第１実施例の構成と同様でもよいため説明を省略する。
【０１０６】
（２−２）動作
次に、図１０を用いて、本実施例に係る、検査用光ディスク１００を製造するための光学式情報装置３００の動作について説明する。ここに、図１０は、複数度記録可能な光ディスクに通常の記録で用いられるレベルより高い記録パワーのレーザ光を二度以上照射する処理を示すフローチャートである。尚、図１０において、図６と同一のステップについては同一の参照符号を付し、その詳細な説明を適宜省略する。本実施例において、第１実施例と異なる点は、記録パワーを決定する処理（ステップＳ０７１及びステップＳ０７２）である。
【０１０７】
図１０においても、先ず、図６と同様に、システムコントロール４００からディフェクトとするエリアに書き込むための命令であるＷｒｉｔｅ（アドレス,ブロック）コマンドが送られてきた場合（ステップＳ０１０：ＹＥＳ）、引き続きシステムコントロール４００から転送されてくるデータ（ブロック数）を、インターフェース３５７を介してバッファ３５６に蓄える（ステップＳ０２０）。そして、蓄えたデータを、変調復調部３５５がエンコードし（ステップＳ０３０）、光ディスク１００を、レーザ光を照射する位置にセットする工程として、図５で示したようなウォブリングを使い、システムコントロール４００のＷｒｉｔｅコマンドによって指定されたアドレスをサーチする（ステップＳ０４０）。
【０１０８】
サーチされ終わると、ディフェクトとする工程として、変調復調部３５５によってエンコードされたデータを、サーチしたアドレスから書き込む（ステップＳ０５０）。具体的には、エンコードされたデータに従って、光ディスク１００に対してレーザ光が照射されるようにレーザ光駆動部３５８が光ピックアップ３５２を駆動する。
【０１０９】
そして、転送されてきたデータを全て書き込み終えたか否か、即ち、書き込むべきデータは無くなったか否かが判定される（ステップＳ０６０）。ここで、書き込み終えていない場合（ステップＳ０６０：ＮＯ）、書き込みを続行する。
【０１１０】
他方、書き込み終えた場合（ステップＳ０６０：ＹＥＳ）、続いて、予め決定してあった記録パワーで希望回数重ね書きしたか否かが判定される（ステップＳ０７１）。ここで、希望回数に達していない場合（ステップＳ０７１：ＮＯ）、引き続き、例えば図８或いは図９に基いて、希望するディフェクトの程度とするために必要な記録パワーが設定され（ステップＳ０７２）、その記録パワーで再度レーザ光が照射される。
【０１１１】
他方、希望回数に達した場合（ステップＳ０７１：ＹＥＳ）、記録終了、即ち検査用光ディスク１００の完成であり、ＳＴＡＲＴに戻る。
【０１１２】
以上のように、図１０に示した処理を行うことで、所望のエリアに所望の種類の（特に所望のディフェクトレベルの）ディフェクトを有する検査用光ディスク１００が比較的容易に製造される。
【０１１３】
又、第１実施例及び第２実施例に示す構成及び動作処理は、光学式情報装置の内部に組み込まれた或いは外部に接続された装置によって実現してもよいし、セットする工程及びディフェクトとする工程を備えた検査用光ディスク製造方法に基いて光学式情報装置を動作させることによって実現してもよい。
【０１１４】
尚、本発明は、上述した実施例に限られるものではなく、請求の範囲及び明細書全体から読み取れる発明の要旨、或いは思想に反しない範囲で適宜変更可能であり、そのような変更を伴う検査用光ディスク及び該検査用光ディスクの製造方法もまた、本発明の技術的範囲に含まれるものである。
【図面の簡単な説明】
【０１１５】
【図１】本発明の第１実施例に係る、検査用光ディスクを製造可能であり、更にディフェクトマネジメント及びエラー訂正が可能な光学式情報装置のブロック図及び光ディスクの拡大図である。
【図２】第１実施例に係る、レーザ光駆動部及びその周辺装置の詳細なブロック図である。
【図３】第１実施例に係る、ディフェクトとされたエリアを含む検査用光ディスクの平面図である。
【図４】第１実施例に係る、一訂正物理ブロック以上及び一訂正物理ブロック以下をディフェクトとした検査用光ディスクの概念的平面図である。
【図５】第１実施例に係る、グルーブトラック及びランドトラックを有するグルーブ記録用記録層のエリアがディフェクトとされた状態を示す平面図である。
【図６】第１実施例に係る、一度だけ記録可能な光ディスクにレーザ光を少なくとも二度照射する処理を示すフローチャートである。
【図７】第１実施例に係る、ディフェクトとされたエリアの確認のための出力波形図である。
【図８】第２実施例に係る、記録パワーとエラーレートとの関係を示す特性図である。
【図９】第２実施例に係る、重ね書き回数とエラーレートとの関係を示す特性図である。
【図１０】第２実施例に係る、複数度記録可能な光ディスクに通常の記録で用いられるレベルより高い記録パワーのレーザ光を二度以上照射する処理を示すフローチャートである。
【符号の説明】
【０１１６】
１００…光ディスク、
３５１…スピンドルモータ、
３５２…光ピックアップ、
１００１…基板、
１００２…記録層、
１００３…保護層、
３５３…ＲＦアンプ、
３５４…サーボ回路、
３５５…変調復調部、
３５６…バッファ、
３５７…インターフェース、
３５８…レーザ光駆動部、
３５９…ディフェクト検出部、
３６０…ディフェクト管理情報作成部、
３６１…ＣＰＵ、
４００…システムコントロール、
１０１…リードインエリア、
１１０…ディフェクトとされたエリア、
１１１…ＥＣＣブロック
【図１】
0004598677.tif 000002
【図２】
0004598677.tif 000003
【図３】
0004598677.tif 000004
【図４】
0004598677.tif 000005
【図５】
0004598677.tif 000006
【図６】
0004598677.tif 000007
【図７】
0004598677.tif 000008
【図８】
0004598677.tif 000009
【図９】
0004598677.tif 000010
【図１０】
0004598677.tif 000011